(57)【要約】      （修正有）【課題】回転軸を連結するためのフランジカップリング部のカバーとして、簡便な構造としたカップリング・カバーを提供する。【解決手段】出力軸５及び攪拌軸７の端部に設けた各フランジ１７，１９を突き合わせてボルト２１により締結結合するフランジ・カップリング２３に取り付ける可撓性のカップリング・カバー２５であって、各フランジ１７、１９の周縁部を、ボルト２１を含めて径方向外側から包囲する周回形状に形成されたリング状本体と、リング状本体の周方向一部に形成されリング状本体を周方向へ復元可能に開くことを可能にする径方向のスリットとを備えたことを特徴とする。【選択図】図２
0003179744.tif 000002
【実用新案登録請求の範囲】
【請求項１】
一対の回転軸の端部に設けた各フランジを突き合わせて締結具により締結結合するフランジ・カップリングに取り付ける可撓性のカップリング・カバーであって、
前記各フランジの周縁部を、前記締結具を含めて径方向外側から包囲する周回形状に形成されたリング状本体と、
前記リング状本体の周方向一部に形成され該リング状本体を周方向へ復元可能に開くことを可能にする径方向のスリットと、
を備えたことを特徴とするによりカップリング・カバー。
【請求項２】
請求項1記載のカップリング・カバーであって、
前記リング状本体は、前記各フランジの外周面を周回状に覆う外周壁と、この外周壁から前記各フランジの径方向へ伸びる一対の側壁と、この一対の側壁の径方向内縁から前記回転軸の軸方向で前記フランジ側に伸び縁部が該フランジに対向する内周壁と、
を備えたことを特徴とするによりカップリング・カバー。
【考案の詳細な説明】
【技術分野】
【０００１】
本考案は、回転軸を連結するフランジ・カップリングを覆うカップリング・カバーに関する。
【背景技術】
【０００２】
従来、食材等の攪拌装置等では、加熱釜の外部に駆動源としての電動機が備えられ、この電動機の出力軸に攪拌軸がフランジ・カップリングにより結合されたものがある。
【０００３】
このフランジ・カップリングは、ボルトなどの締結具により締結結合されており、回転するとボルトが突起物として露出した状態で回転する。
【０００４】
このため、回転しているフランジ・カップリングに作業者が不用意に触れないようにする種々の工夫がなされているが、簡便ではなかった。
【考案の概要】
【考案が解決しようとする課題】
【０００５】
解決しようとする問題点は、回転しているフランジ・カップリングに作業者が不用意に触れないようにする工夫がなされているが、簡便ではなかった点である。
【課題を解決するための手段】
【０００６】
本考案は、簡便な構造とするために、一対の回転軸の端部に設けた各フランジを突き合わせて締結具により締結結合するフランジ・カップリングに取り付ける可撓性のカップリング・カバーであって、前記各フランジの周縁部を、前記ボルトを含めて径方向外側から包囲する周回形状に形成されたリング状本体と、前記リング状本体の周方向一部に形成され該リング状本体を周方向へ復元可能に開くことを可能にする径方向のスリットとを備えたことを特徴とする。
【考案の効果】
【０００７】
本考案の攪拌調理装置は、上記構成であるから、リング状本体をスリットにより開くことでフランジ・カップリングの外周側から取り付けることができ、フランジの周縁部を、周回状に、締結具を含めて径方向外側から包囲することができる。
【図面の簡単な説明】
【０００８】
【図１】攪拌調理装置の概略図である。（実施例１）
【図２】カップリング・カバーを断面にしてフランジ・カップリングとの関係を示す要部拡大図である。（実施例１）
【図３】カップリング・カバーを断面にしてフランジ・カップリングとの関係を示す要部拡大図である。（実施例１）
【図４】カップリング・カバーの斜視図である。（実施例１）
【考案を実施するための形態】
【０００９】
簡便な構造にするという目的を、出力軸５及び攪拌軸７の端部に設けた各フランジ１７，１９を突き合わせてボルト２１により締結結合するフランジ・カップリング２３に取り付ける可撓性のカップリング・カバー２５であって、前記各フランジ１７、１９の周縁部を、前記ボルト２１を含めて径方向外側から包囲する周回形状に形成されたリング状本体２７と、前記リング状本体２７の周方向一部に形成され該リング状本体を周方向へ復元可能に開くことを可能にする径方向のスリット２９とを備えたことにより実現した。
【実施例１】
【００１０】
図１は、攪拌調理装置の概略図、図２は、カップリング・カバーを断面にしてフランジ・カップリングとの関係を示す要部拡大図、図３は、カップリング・カバーを断面にしてフランジ・カップリングとの関係を示す要部拡大図である。
【００１１】
図１〜図３のように、攪拌調理装置１は、一対の回転軸として、電動機３の出力軸５と攪拌軸７とを備えている。
【００１２】
電動機３は、加熱釜９の上部外側に配置され、機台フレーム１１側に取り付けられている。攪拌軸７には、支持杆１３が取り付けられ、この支持杆１３に沿って掻き取り羽根１５が複数取り付けられている。但し、図１では、１個のみ示す。
【００１３】
電動機３の出力軸５と攪拌軸７とには、それぞれフランジ１７、１９が固定され、フランジ１７、１９が突き合わされて締結具である複数のボルト２１により締結結合され、フランジ・カップリング２３となっている。
【００１４】
フランジ・カップリング２３には、可撓性のカップリング・カバー２５が取り付けられている。
【００１５】
図４は、カップリング・カバーの斜視図である。
【００１６】
図２〜図４のように、カップリング・カバー２５は、ゴムなどの樹脂で形成され、図３、図４のように、リング状本体２７とスリット２９とを備えている。なお、カップリング・カバー２５は、撓むことが可能で、スリット２９を介した着脱が可能であれば、その材質は特に限定されず、繊維を混合させた樹脂、布、紙、形状記憶合金等で形成することができる。
【００１７】
リング状本体２７は、各フランジ１７、１９の周縁部を、前記ボルト２１を含めて径方向外側から包囲し周回形状に形成されたものである。
【００１８】
このリング状本体２７は、外周壁２７ａと、一対の側壁２７ｂ、２７ｃと、内周壁２７ｄ、２７ｅとを備えている。外周壁２７ａは、各フランジ１７、１９の外周面を周回状に覆うものである。一対の側壁２７ｂ、２７ｃは、外周壁２７ａから各フランジ１７，１９の径方向へ伸びている。内周壁２７ｄ、２７ｅは、一対の側壁２７ｂ、２７ｃの径方向内縁から回転軸である出力軸５及び攪拌軸７の軸方向でフランジ１７、１９側に伸び、縁部が該フランジ１７、１９に対向している。
【００１９】
スリット２９は、リング状本体２７の周方向一部に形成され、リング状本体２７を周方向へ復元可能に開くことを可能にするものである。
【００２０】
したがって、カップリング・カバー２５によりフランジ・カップリング２３の外周部を覆うことができる。このため、軸回転にボルト２１が突起物として露出した状態で回転することは無く、カップリング・カバー２５で覆われることで作業者がボルト２１に直接触れることはない。
【００２１】
リング状本体２７をスリット２９により開くことでフランジ・カップリング２３の外周側からカップリング・カバー２５を取り外すことができ、逆に、フランジ・カップリング２３の外周側からカップリング・カバー２５取り付けることができ、フランジ１７、１９の周縁部を、周回状に、ボルト２１を含めて径方向外側から簡単に包囲させることができる。
【００２２】
しかも、リング状本体２７が主体であり、金属製の固定保護カバー等に比べて構造が極めて簡単である。
【００２３】
カップリング・カバー２５は、フランジ１７、１９の外周部にのみ取り付けるものであるため、小型化を図ることもできる。この小型化により、加熱釜９の蓋上部に位置する各種機能部との干渉も容易に避けることができ、設計自由度が増大する。
【００２４】
スリット２９を開くだけで着脱ができるため、容易な着脱により清掃を容易に行わせることができる。
【００２５】
出力軸５及び攪拌軸７が回転しても、カップリング・カバー２５は、安定的に装着状態を維持することができる。回転数が増大してスリット２９が開こうとすると、内周壁２７ｅがボルト２１に係合してスリット２９の開きが抑制され、装着状態を維持することができる。
【００２６】
なお、上記実施例では、カップリング・カバー２５を出力軸５及び攪拌軸７間のフランジ・カップリング２３に適用したが、他の装置のフランジ・カップリングにも同様に適用することができる。
【符号の説明】
【００２７】
１  攪拌調理装置
３  加熱釜（調理容器）
５  出力軸（回転軸）
７  攪拌軸（回転軸）
１７、１９  フランジ
２１  ボルト（締結具）
２３  フランジ・カップリング
２５  カップリング・カバー
２７  リング状本体
２９  スリット
【図１】
0003179744.tif 000003
【図２】
0003179744.tif 000004
【図３】
0003179744.tif 000005
【図４】
0003179744.tif 000006